(57)【要約】【課題】信号の経路を選択することにより複数のフォーマットの信号に対応することができる送受信装置および送受信方法を提供する。【解決手段】送受信装置２００はＨＤＭＩ受信部２０２、ビデオプロセッサ２０３、セレクタ２０５、マイコン２０６などを備える。リピータとしての送受信装置２００はソースとしての送信装置１００、シンクとしての受信装置３００と接続されている。マイコン２０６は送信装置１００からの映像信号のフォーマットを判定する。そして、映像信号のフォーマットがビデオプロセッサ２０３が対応しているフォーマットである場合には、ビデオプロセッサ２０３を経由する信号経路を選択し、映像信号のフォーマットがビデオプロセッサ２０３が対応してないフォーマットである場合には、ビデオプロセッサ２０３を経由しない信号経路を選択する。【選択図】図１
2012039476.tif 000002
【特許請求の範囲】
【請求項１】
所定の伝送規格に対応するコンテンツ信号を受信し、該コンテンツ信号に含まれる映像信号を復元して出力する受信手段と、
該受信手段から出力された前記映像信号に対して所定の処理を施す映像信号処理手段と、
前記映像信号が前記映像信号処理手段を経由する信号経路と前記映像信号が前記映像信号処理手段を経由しない信号経路のいずれかを選択する選択手段と、
該選択手段により選択された前記信号経路を経由した前記映像信号を前記所定の伝送規格に対応するコンテンツ信号に変換して送信する送信手段と
を備える送受信装置。
【請求項２】
前記受信手段から出力された前記映像信号のフォーマットを判定するフォーマット判定手段をさらに備え、
前記選択手段は、前記映像信号処理手段が前記フォーマット判定手段により判定された前記映像信号のフォーマットに対応していない場合に前記映像信号が前記映像信号処理手段を経由しない前記信号経路を選択する請求項１に記載の送受信装置。
【請求項３】
前記フォーマット判定手段は、前記映像信号のタイミングに基づいて前記映像信号のフォーマットの判定を行う請求項２に記載の送受信装置。
【請求項４】
前記映像信号のタイミングは垂直同期信号に基づくものである請求項３に記載の送受信装置。
【請求項５】
前記フォーマット判定手段は、前記映像信号の属性データに基づいて前記映像信号のフォーマットの判定を行う請求項２に記載の送受信装置。
【請求項６】
前記映像信号の前記属性データはVendor Specific InfoFrameである請求項５に記載の送受信装置。
【請求項７】
前記映像信号処理手段により行われる前記所定の処理は前記映像信号に係る映像にＧＵＩを合成する処理である請求項１に記載の送受信装置。
【請求項８】
前記所定の伝送規格はＨＤＭＩである請求項１に記載の送受信装置。
【請求項９】
前記送信手段による前記コンテンツ信号の送信が開始される前に前記選択手段によって前記信号経路が切り替えられた場合、前記送信手段による前記コンテンツ信号の送信が開始された後に、接続されている送信装置および受信装置との認証処理が行われる請求項１に記載の送受信装置。
【請求項１０】
前記選択手段による前記信号経路の切り替えはユーザによる指示に基づいて行われ、
前記送信手段による前記コンテンツ信号の送信が開始された後に前記ユーザによる前記信号経路の切り替え指示が行われた場合、
前記選択手段は、前記送信手段による前記コンテンツ信号の送信を停止した後に、前記信号経路の切り替えを行い、
前記送信手段による前記コンテンツ信号の送信が再開された後に、接続されている受信装置との認証処理が行われる請求項１に記載の送受信装置。
【請求項１１】
所定の伝送規格に対応するコンテンツ信号を受信し、該コンテンツ信号に含まれる映像信号を復元して出力する受信ステップと、
該受信ステップにより出力された前記映像信号に対して映像信号処理手段により所定の処理を施す映像信号処理ステップと、
前記映像信号が前記映像信号処理手段を経由する経路と前記映像信号が前記映像信号処理手段を経由しない経路のいずれかを選択する選択ステップと、
該選択ステップにより選択された前記信号経路を経由した前記映像信号を前記所定の伝送規格に対応するコンテンツ信号に変換して送信する送信ステップと
を有する送受信方法。
【発明の詳細な説明】
【技術分野】
【０００１】
この発明は、送受信装置および送受信方法に関し、詳しくは、信号の経路を選択することにより複数のフォーマットの信号に対応することができる送受信装置および送受信方法に関する。
【背景技術】
【０００２】
近年、デジタルの映像信号や音声信号を扱うＡＶ（Audio/Visual）機器が普及してきている。そして、それに伴い、デジタルの映像信号や音声信号を伝送するためのインターフェース、デジタルデータ伝送規格としてＨＤＭＩ（High Definition Multimedia Interface）が普及しつつある。ＨＤＭＩは、コンピュータとテレビジョン受像機を接続する標準規格であるＤＶＩ（Digital Video Interface）をベースとして、それにさらに音声伝送機能、制御信号伝送機能などを付加したものである。ＨＤＭＩは主にテレビジョン受像機、Blu-ray（登録商標）ディスクプレーヤ、ハードディスクレコーダ、ゲーム機などにおいて広く採用されている。
【０００３】
ＨＤＭＩでは、送信側をソース（Source）と称し、受信側をシンク（Sink）と称する。一本のケーブルでソースからシンクへ映像信号、音声信号、さらには制御信号を送信することができる。映像信号、音声信号の伝送はソースからシンクへの一方向である。ＨＤＭＩに対応するソースとシンクとをＨＤＭＩケーブルを用いてリピータを介して接続することにより、高品質な映像と音声を楽しむことができるＡＶシステムを構築することができる。このＡＶシステムでは映像信号および音声信号を含むコンテンツ信号がリピータを介してソースからシンクへ送信される。
【０００４】
ソースとしては例えば、Blu-rayディスクプレーヤ、ＤＶＤ（Digital Versatile Disc）プレーヤなどのディスク再生装置が挙げられる。また、シンクとしてはテレビジョン受像機、プロジェクタなどが挙げられる。
【０００５】
リピータは、ＨＤＭＩ送信部、ＨＤＭＩ受信部、映像処理部などを備える。リピータは、ソースから送信された映像信号および音声信号を含むコンテンツ信号をＨＤＭＩ受信部により受信し、映像信号を映像処理部に出力する。そして、映像処理部によって、伝送中に生じた劣化の復元処理などの所定の処理を施す（特許文献１）。また、入力された映像信号に係る映像にＧＵＩ（Graphical User Interface）を合成する処理を行うものもある。映像処理部によって処理が施された映像信号はＨＤＭＩ送信部によってコンテンツ信号に変換されて、シンクとしてのテレビジョン受像機などに送信されて最終的に映像として出力される。
【先行技術文献】
【特許文献】
【０００６】
【特許文献１】特開２００６−１８６５４４号公報
【発明の概要】
【発明が解決しようとする課題】
【０００７】
リピータには、自身の状態、対応しているビデオフォーマット、音声フォーマットなどの性能についての情報、各種設定値などに関するデータであるＥＤＩＤ（Extended Display Identification Data)を保持するＥＤＩＤＲＯＭが設けられている。そして、ＨＤＭＩにおけるＤＤＣ(Display Data Channel)と呼ばれる伝送チャンネルを介して、装置間において、ＥＤＩＤＲＯＭに保持されているＥＤＩＤを読み出しが行われる。これにより、ソースはリピータ、シンクが対応している映像フォーマットを認識することができ、そのフォーマットに応じた映像信号を含むコンテンツ信号を送信することができる。
【０００８】
しかし、リピータにおいては、３Ｄなどのある特定の映像フォーマットにＨＤＭＩ送信部およびＨＤＭＩ受信部は対応しているが、映像処理部が対応していない場合がある。その場合、リピータ全体としては３Ｄは非対応となり、リピータのＥＤＩＤにはリピータが３Ｄに対応していると記述することはできない。
【０００９】
これによって、リピータを構成するＨＤＭＩ受信部、ＨＤＭＩ送信部、さらにシンクが３Ｄに対応しているとしてもソースはリピータが３Ｄに対応していないと認識して３Ｄの映像信号を含むコンテンツ信号を送信しないという問題がある。また、ソースから３Ｄのコンテンツ信号が送信されたとしても、リピータの映像処理部は３Ｄの映像信号に対して処理を施すことができないため、シンクにおいて最終的に３Ｄの映像を出力することはできない。
【００１０】
したがって、この発明の目的は、信号の経路を選択することにより複数のフォーマットの信号に対応することができる送受信装置および送受信方法を提供することにある。
【課題を解決するための手段】
【００１１】
上述した課題を解決するために、第１の発明は、所定の伝送規格に対応するコンテンツ信号を受信し、コンテンツ信号に含まれる映像信号を復元して出力する受信手段と、受信手段から出力された映像信号に対して所定の処理を施す映像信号処理手段と、映像信号が映像信号処理手段を経由する経路と映像信号が映像信号処理手段を経由しない経路のいずれかを選択する選択手段と、選択手段により選択された信号経路を経由した映像信号を所定の伝送規格に対応するコンテンツ信号に変換して送信する送信手段とを備える送受信装置である。
【００１２】
第２の発明は、所定の伝送規格に対応するコンテンツ信号を受信し、コンテンツ信号に含まれる映像信号を復元して出力する受信ステップと、受信ステップにより出力された映像信号に対して映像信号処理手段により所定の処理を施す映像信号処理ステップと、映像信号が映像信号処理手段を経由する経路と映像信号が映像信号処理手段を経由しない経路のいずれかを選択する選択ステップと、選択ステップにより選択された信号経路を経由した映像信号を所定の伝送規格に対応するコンテンツ信号に変換して送信する送信ステップとを有する送受信方法である。
【発明の効果】
【００１３】
この発明によれば、入力される信号のフォーマットに基づいて送受信装置内部におけるその信号の経路を選択することにより、複数のフォーマットの信号に対応することが可能となる。
【図面の簡単な説明】
【００１４】
【図１】この発明の実施の形態に係る送受信装置を含むＡＶシステムの構成を示すブロック図である。
【図２】ＨＤＭＩにおける信号の送受信の概要を示す図である。
【図３】AVI infoframeパケットのデータ構造例を示す図である。
【図４】Video Codeの例を示す図である。
【図５】３Ｄの方式の詳細を示す図である。
【図６】Frame Packing方式の３Ｄ映像と２Ｄ映像の構造を示す図である。
【図７】Side by Side方式の３Ｄ映像と２Ｄ映像の構造を示す図である。
【図８】Top and Bottom方式の３Ｄ映像と２Ｄ映像の構造を示す図である。
【図９】Vendor Specific InfoFrameパケットのデータ構造例を示す図である。
【図１０】この発明の実施の形態において行われるＨＤＣＰ認証の概要を示す図である。
【図１１】映像フォーマットが２Ｄである場合に、この発明の実施の形態において行われるＨＤＣＰ認証の詳細を示すシーケンス図である。
【図１２】映像フォーマットが３Ｄである場合に、この発明の実施の形態において行われるＨＤＣＰ認証の詳細を示すシーケンス図である。
【図１３】バス切り替えおよびＨＤＣＰ認証の流れの概要を示す図である。
【図１４】バス切り替えおよびＨＤＣＰ認証の流れの詳細を示すシーケンス図である。
【図１５】映像フォーマットが３Ｄである場合にＧＵＩ表示を行うための信号の流れを示すブロック図である。
【発明を実施するための形態】
【００１５】
以下、この発明の実施の形態について図面を参照しながら説明する。なお、説明は以下の順序で行う。
＜１．実施の形態＞
［１−１.送受信装置および送受信装置を含むＡＶシステムの構成］
［１−２.送受信装置におけるフォーマット判定処理および信号経路選択処理］
［１−３.ＨＤＣＰ認証処理］
＜２．変形例＞
【００１６】
＜１．実施の形態＞
［１−１.送受信装置および送受信装置を含むＡＶシステムの構成］
図１は、この発明に係る送受信装置２００を含むＡＶシステムの構成を示すブロック図である。ＡＶシステムは、ソースとしての送信装置１００と、シンクとしての受信装置３００と、それらを中継するように設けてあるリピータとしての送受信装置２００とから構成されている。
【００１７】
送信装置１００と送受信装置２００とが第１ＨＤＭＩケーブル５０１により接続されている。また、送受信装置２００と受信装置３００とが第２ＨＤＭＩケーブル５０２により接続されている。なお、図１においては、送信装置１００、送受信装置２００および受信装置３００は、ＨＤＭＩ経由で信号を送受信して処理するための構成部分のみを抜き出して示されている。
【００１８】
ソースである送信装置１００は、例えば、Blu-rayディスクプレーヤ、ＤＶＤプレーヤなどのディスク再生装置である。送信装置１００は、ディスク再生部１０１、ＨＤＭＩ送信部１０２およびＨＤＭＩ出力端子１０３を備えている。ディスク再生部１０１は、装填されたディスク状の記録メディアからコンテンツを構成する映像信号と音声信号の読み出し（再生）を行う。ディスク再生部１０１は、ディスクを回転させるための回転駆動部、ディスクに対しレーザ光を照射して信号の読み出しを行う光学ピックアップ、光学ピックアップに読み出された信号に対して所定の処理を施す映像信号処理部（いずれも図示せず。）などから構成されている。ディスク再生部１０１により読み出されたデジタルの映像信号と音声信号はＨＤＭＩ送信部１０２に出力される。また、ディスク再生部１０１からＨＤＭＩ送信部１０２に対してオーディオクロックが出力される。オーディオクロックは、ＨＤＭＩにおいてＡＣＲ（Audio Clock Regeneration）に用いられるものであり、ディスク再生部１０１によって読み出された音声信号に同期するものである。
【００１９】
ＨＤＭＩ送信部１０２は、入力された映像信号と音声信号とをＴＭＤＳ（Transition Minimized Differential Signaling）にしたがった伝送信号に変換する。ＨＤＭＩにおいては伝送方式としてＴＭＤＳシリアル伝送方式が用いられている。以下、映像信号と音声信号とがＴＭＤＳにしたがって変換されたコンテンツ信号をＨＤＭＩ信号と称する。そして、そのＨＤＭＩ信号をＨＤＭＩ出力端子１０３に出力する。また、ＨＤＭＩ送信部１０２は送受信装置２００のＨＤＭＩ受信部２０２との間における認証処理を行う。認証処理の詳細については後述する。
【００２０】
ＨＤＭＩ出力端子１０３は、ＨＤＭＩ規格に対応する構造の雌プラグを備えるものであり、第１ＨＤＭＩケーブル５０１の一方の雄プラグが接続されている。ＨＤＭＩ送信部１０２からＨＤＭＩ出力端子１０３に出力されたＨＤＭＩ信号は、ＨＤＭＩ出力端子１０３から第１ＨＤＭＩケーブル５０１を介して送受信装置２００に送信される。
【００２１】
ＨＤＭＩ信号を送信する際、送信装置１００は、現在送信しているＨＤＭＩ信号に含まれる映像信号および音声信号のフォーマットなどに関する情報を送信する。送信装置１００は、送受信装置２００に送信する映像信号のブランキング期間にその情報を挿入することで、その情報の送信を行う。映像信号、音声信号のフォーマットなどに関する情報は、例えば、ＨＤＭＩのＡＶＩ(Auxiliary Video Information) InfoFrameパケット、Vendor Specific InfoFrameパケット、AudioInfoFrameパケットなどを用いて送信される。
【００２２】
なお、送信装置１００は、Blu-rayディスクプレーヤ、ＤＶＤプレーヤに限られるものではない。ソースとしての送信装置１００は、ＨＤＭＩに対応し、映像信号および音声信号を含むコンテンツを出力することができる装置であればどのようなものであってもよい。ソースとなる装置としては例えば、ハードディスクレコーダ、パーソナルコンピュータ、ケーブルテレビのセットトップボックス、ＰｌａｙＳｔａｔｉｏｎ（株式会社ソニー・コンピュータエンタテインメントの登録商標）３などのエンタテインメント装置などがある。
【００２３】
送受信装置２００は、リピータとして機能するいわゆるアンプ装置である。送受信装置２００は、ＨＤＭＩ入力端子２０１、ＨＤＭＩ受信部２０２、レジスタ２０２ａ、ビデオプロセッサ２０３、ＧＵＩ格納部２０４、セレクタ２０５、マイコン２０６、ＨＤＭＩ送信部２０７、ＨＤＭＩ出力端子２０８、ＤＳＰ（Digital Signal Processor）２０９、ＤＡＣ（Digital Analog Converter）２１０、音声出力端子２１１、ＥＤＩＤＲＯＭ(Read Only Memory)２１２を備えるものである。送受信装置２００には、音声出力端子２１１を介してスピーカ４００が接続されている。
【００２４】
ＨＤＭＩ入力端子２０１は、ＨＤＭＩ規格に対応する構造の雌プラグを備えるものであり、第１ＨＤＭＩケーブル５０１の他方の雄プラグが接続されている。送信装置１００から送信されたＨＤＭＩ信号はＨＤＭＩ入力端子２０１を介して送受信装置２００に入力される。ＨＤＭＩ入力端子２１０を介して入力されたＨＤＭＩ信号はＨＤＭＩ受信部２０２によって受信される。
【００２５】
ＨＤＭＩ受信部２０２は、受信したＨＤＭＩ信号に含まれる映像信号と音声信号とを抽出して復元する。そして、ＨＤＭＩ受信部２０２は、復元した映像信号を出力する。また、ＨＤＭＩ受信部２０２は音声信号をＨＤＭＩ送信部２０７およびＤＳＰ２０９に出力する。ＨＤＭＩ受信部２０２は特許請求の範囲における受信手段に相当するものである。レジスタ２０２ａはＨＤＭＩ信号に含まれるAVI infoframe、Vendor Specific InfoFrameなどの映像フォーマット判定に用いられる映像信号の属性情報が格納される記憶装置である。
【００２６】
ビデオプロセッサ２０３は、ＧＵＩ格納部２０４に格納されているＧＵＩ用画像データを読みだして、入力された映像信号に係る映像に必要に応じてＧＵＩを合成する処理などの所定の処理を施すものである。ビデオプロセッサ２０３は特許請求の範囲における映像信号処理手段に相当するものである。そして、ビデオプロセッサ２０３によって処理が施された映像信号はセレクタ２０５に出力される。本実施の形態においては、ビデオプロセッサ２０３は３Ｄの映像信号には対応していないものとする。
【００２７】
セレクタ２０５はマイコン２０６の制御に基づいて、映像信号がビデオプロセッサ２０３を経由する信号経路と、映像信号がビデオプロセッサ２０３を経由しない信号経路のいずれかを選択する。ビデオプロセッサ２０３を経由する信号経路が選択された場合には、映像信号はビデオプロセッサ２０３により処理が施される。ビデオプロセッサ２０３を経由しない信号経路が選択された場合には、映像信号にはビデオプロセッサ２０３による処理は施されない。
【００２８】
以下、ビデオプロセッサ２０３を経由する信号経路を第１バス、ビデオプロセッサ２０３を経由せずにＨＤＭＩ受信部２０２とＨＤＭＩ送信部２０７を直接つなぐ経路を第２バスと称する。セレクタ２０５は第１バスと第２バスの切り替えを行うものである。セレクタ２０５は特許請求の範囲における選択手段に相当するものである。
【００２９】
マイコン２０６は、例えばＣＰＵ（Central Processing Unit）、ＲＡＭ（Random Access Memory）およびＲＯＭ（Read Only Memory）から構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって送受信装置２００全体の制御を行う。
【００３０】
また、マイコン２０６は、所定のプログラムを実行することにより、映像信号のフォーマットの判定を行ない、その判定結果に基づいてセレクタ２０５に所定の制御信号を送信し、セレクタ２０５によるバスの切り替えを制御する。本実施の形態においては、マイコン２０６は映像信号のフォーマットが２Ｄか３Ｄかの判定を行い、２Ｄである場合には第１バスを選択し、３Ｄである場合には第２バスを選択するようにセレクタ２０５の制御を行う。マイコン２０６による映像フォーマットの判定の手法については後述する。マイコンは特許請求の範囲におけるフォーマット判定手段に相当するものである。また、詳しくは後述するが、マイコン２０６は、セレクタ２０５の切り替えに伴なうＨＤＭＩ送信部２０７によるＨＤＭＩ信号送信の停止、再開の制御も行う。
【００３１】
ＨＤＭＩ送信部２０７は、セレクタ２０５から出力された映像信号およびＨＤＭＩ受信部２０２から出力された音声信号を再びＨＤＭＩ信号に変換し、ＨＤＭＩ出力端子２０８に出力する。ＨＤＭＩ送信部２０７は特許請求の範囲における送信手段に相当するものである。そして、そのＨＤＭＩ信号はＨＤＭＩ出力端子２０８から第２ＨＤＭＩケーブル５０２を介して受信装置３００に送信される。
【００３２】
ＤＳＰ２０９は、ＨＤＭＩ受信部２０２から出力された音声信号に対して所定の音声信号処理を施してＤＡＣ２１０に出力する。ＤＡＣ２１０はＤＳＰ２０９から出力された音声信号に対してＤ／Ａ変換を施してアナログ音声信号に変換する。そして、アナログ音声信号は音声出力端子２１１を介してスピーカ４００に出力される。スピーカ４００は入力されたアナログ音声信号を音声として出力するための音声出力手段である。スピーカ４００から音声信号に応じた音声が出力されることによりユーザはディスクに収録されているコンテンツの音声を楽しむことができる。
【００３３】
ＥＤＩＤＲＯＭ２１２は、送受信装置２００自身の状態、対応している映像フォーマット、音声フォーマット、３Ｄ対応の可否などの性能についての情報、各種設定値などに関するデータであるＥＤＩＤを記憶保持するものである。ソースである送信装置１００はＥＤＩＤ内のVendor Specific Data Blockに記述されている３Ｄ対応の可否情報を参照することにより、送受信装置２００が３Ｄに対応しているか否かを判定する。
【００３４】
受信装置３００は、映像、画像を表示してユーザに提供するための表示手段である。例えば、テレビジョン受像機、プロジェクタ、パーソナルコンピュータなどである。受信装置３００は、ＨＤＭＩ入力端子３０１、ＨＤＭＩ受信部３０２および表示部３０３を備える。ＨＤＭＩ入力端子３０１には、第２ＨＤＭＩケーブル５０２の他方の雄プラグが接続されている。ＨＤＭＩ受信部３０２は、送受信装置２００から第２ＨＤＭＩケーブル５０２を介して送信されたＨＤＭＩ信号を受信し、そのＨＤＭＩ信号に含まれる映像信号を抽出して復元する。そして、その映像信号は表示部３０３に出力されることにより、最終的に映像として表示されてユーザに提供される。表示部３０３は、例えば、ＬＣＤ（Liquid Crystal Display）、ＰＤＰ(Plasma Display Panel)、有機ＥＬ(Electro Luminescence)パネルなどの表示パネルである。本実施の形態におけるＡＶシステムはこのように構成されている。
【００３５】
図２は、ＨＤＭＩ規格による信号の送受信の概要を示す図である。ＨＤＭＩにおける映像信号および音声信号を含むＨＤＭＩ信号の伝送は、双方向ではなくソースであるＨＤＭＩ送信部からシンクであるＨＤＭＩ受信部への一方向である。ＨＤＭＩにおいては、映像と映像の間のブランク期間を用いて音声信号が送信される。ＨＤＭＩ送信部はＨＤＭＩトランスミッタを備える。ＨＤＭＩトランスミッタは、入力された映像信号、音声信号および制御信号を所定の構造に当て嵌めていくようにして伝送データを生成する。次に、そのようにして得られた伝送信号を、ＨＤＭＩ信号に変換する。そして、そのＨＤＭＩ信号を伝送路である３つのＴＭＤＳチャンネル０、１、２を介してＨＤＭＩ受信部へ送信する。
【００３６】
ＨＤＭＩでは、ある垂直同期信号から次の垂直同期信号までの区間の内、水平帰線区間および垂直帰線区間を除いた区間である有効画像区間において、非圧縮の１画面分の画像の画素データに対応する差動信号が、ＴＭＤＳチャンネル０、１、２を介して送信される。また、水平帰線区間または垂直帰線区間においては、音声信号、制御データなどに対応する差動信号が、ＴＭＤＳチャンネル０、１、２を介して、ＨＤＭＩ受信部へ送信される。
【００３７】
ＴＭＤＳチャンネル０、１、２における信号の伝送は、Video Data period、Data Island periodおよびControl periodの３つの区間に分けて行われる。Video Data periodは、ある垂直同期信号の立ち上がりから次の垂直同期信号の立ち上がりまでの区間である。画像データは、Video Data periodに配置されて伝送される。
【００３８】
Data Island periodは、Video Data periodを避けたブランキング期間に割り当てられている。Data Island periodには、音声信号および補助データ、AVI infoframe、Vendor Specific InfoFrameなどが配置されて伝送される。AVI infoframe、Vendor Specific InfoFrameの詳細は後述する。AVI infoframe、Vendor Specific InfoFrameは後述する映像フォーマットの判定に用いられる。
【００３９】
Control periodは、Data Island periodと同様にブランキング期間に割り当てられている。映像のタイミングを示すタイミング情報としての垂直同期信号（Vsync）および水平同期信号（Hsync）、ＤＥ（Data Enable）、制御パケットなどはControl periodに配置されて伝送される。
【００４０】
また、ＨＤＭＩではＴＭＤＳチャンネルの他に、ＴＭＤＳクロックチャンネルが設けられている。ＴＭＤＳクロックチャンネルは、ＴＭＤＳチャンネル０〜２により伝送する映像信号に同期するＴＭＤＳクロックを送信するための伝送チャンネルである。ＴＭＤＳクロックチャンネルを介してＴＭＤＳクロックもＨＤＭＩ送信部からＨＤＭＩ受信部へと送信される。
【００４１】
シンクとしてのＨＤＭＩ受信部はＨＤＭＩレシーバを備える。ＨＤＭＩレシーバは、ＴＭＤＳチャンネル０、１、２、およびＴＭＤＳチャンネルクロックを介してＨＤＭＩ送信部から送信されてくるＨＤＭＩ信号およびＴＭＤＳクロックを受信する。なお、ＨＤＭＩレシーバはＨＤＭＩ信号をＴＭＤＳクロックに同期して受信する。そして、ＴＭＤＳチャンネル０、１、２により受信したＨＤＭＩ信号から映像信号、音声信号および制御信号を抽出して、復元する。
【００４２】
そして、復元した映像信号を例えばビデオプロセッサに出力し、復元した音声信号を例えばＤＳＰに出力する。また、制御信号についても抽出、復元して出力する。制御信号は、例えば、ＨＤＭＩ受信部を備える機器とＨＤＭＩ送信部を備える機器間における制御に用いられる。このようにして、ＨＤＭＩトランスミッタとＨＤＭＩレシーバによって、ＴＭＤＳの規格にしたがって映像信号、音声信号および制御信号の送受信がなされる。
【００４３】
また、ＨＤＭＩ送信部とＨＤＭＩ受信部間にはＴＭＤＳチャンネル０、１、２およびＴＭＤＳクロックチャンネルの他にＤＤＣ(Display Data Channel)と呼ばれる伝送チャンネルが設けられている。ＨＤＭＩトランスミッタとＨＤＭＩレシーバとの間におけるＨＤＭＩ信号およびＴＭＤＳクロックの送受信に併行して、ＨＤＭＩ送信部とＨＤＭＩ受信部間では、ＤＤＣを介した通信も行われる。ＤＤＣは、ＥＤＩＤＲＯＭに保持されているＥＤＩＤを読み出すために用いられる。ＤＤＣを介した通信により、ＨＤＭＩ受信部を備える機器の情報、各種設定値を読み出すことが可能になる。
【００４４】
また、ＨＤＭＩでは、ＣＥＣ（Consumer Electronics Control）による相互通信が可能となっている。ＣＥＣを介した通信により、ソースとシンクとの間で、例えばリモートコントローラ操作などに応じたコマンドなどをはじめとする機器制御信号の双方向通信を行うことができる。
【００４５】
さらに、ＨＤＭＩにおいては、ＨＰＤ（Hot Plug Detect）と呼ばれる伝送チャンネルが設けられている。ソースはＨＰＤを介して送受信されるＨＰＤ信号によってシンク機器の接続などを検出することができる。
【００４６】
［１−２.送受信装置におけるフォーマット判定処理および信号経路選択処理］
以下、本実施の形態において行われる処理について説明する。送信装置１００からＨＤＭＩケーブル５０１を介して送受信装置２００にＨＤＭＩ信号が送信されると、送受信装置２００のＨＤＭＩ受信部２０２がそのＨＤＭＩ信号を受信する。ＨＤＭＩ信号に含まれて伝送されるタイミング情報、AVI infoframe、Vendor Specific InfoFrameはＨＤＭＩ受信部２０２が備えるレジスタ２０２ａに格納される。そして、ＨＤＭＩ受信部２０２がＨＤＭＩ信号を受信するとマイコン２０６はレジスタ２０２ａに格納されたタイミング情報、AVI infoframe、Vendor Specific InfoFrameを読み取り、映像フォーマットの判定を行う。本実施の形態においては、映像フォーマットが２Ｄか３Ｄかの判定を行う。
【００４７】
ここで、マイコン２０６によって行われる映像フォーマットの判定について説明する。まず、マイコン２０６はレジスタ２０２ａに格納されているAVI infoframeパケットを読み出す。図３は、AVI infoframeパケットのデータ構造例を示すものである。ＨＤＭＩでは、AVI infoframeパケットを用いて映像信号に関する情報をソースからシンクへと伝送する。AVI infoframeパケットには、例えば、伝送される映像信号の解像度情報、周波数情報、カラースペース情報、画像のアスペクト比などの情報が含まれている。
【００４８】
そのAVI infoframeパケットの第４バイトのＶＩＣ６からＶＩＣ０を参照することにより、映像信号のVideo Codeを判定することができる。図４はVideo Codeの例を示すものである。そして、Video Codeから、画像を描写する際の垂直方向のタイミングを規定するＶｓｙｎｃ（垂直同期信号）を参照し、そのＶｓｙｎｃに基づいて映像フォーマットが２Ｄか３Ｄかの判定を行う。
【００４９】
Ｖｓｙｎｃに基づく判定は、３Ｄの方式がFrame Packing方式である場合において有効である。図５に３Ｄの各方式のフォーマットの詳細を示す。図５には３Ｄ方式の例としてFrame Packing方式、Side by Side方式およびTop and Bottom方式が示されている。Frame Packing方式とは、２つの画像（左目用画像と右目用画像）を２Ｄと同じ解像度で上下に並べて伝送する方式である。２Ｄの２倍の伝送レートを必要とするが、２Ｄと比較して解像度を落とすことなく映像信号を伝送することができる。左目用画像と右目用画像の間には、Active spaceと称される映像信号のない部分が存在する。
【００５０】
図６は、映像信号が７２０ｐ／６０Ｈｚである場合における２Ｄと３Ｄ（Frame Packing）の構造を示す図である。図６Ａは２Ｄであり、図６Ｂは３Ｄである。なお、図６Ａの２Ｄと図６Ｂの３Ｄにおいては、３Ｄにおける水平方向のトータルピクセルは２Ｄにおける水平方向のトータルピクセルに等しい。また、３Ｄにおける垂直方向トータルラインは２Ｄにおける水平方向トータルラインの２倍である。さらに、３Ｄにおけるピクセルクロック周波数は、２Ｄにおけるピクセルクロック周波数の２倍である。
【００５１】
Ｖｓｙｎｃ（垂直同期信号）は、図６Ａに示す２Ｄにおいては、Vactive(line)＋Vblank(line)＝７２０＋３０＝７５０、となる。一方、図６Ｂに示す３Ｄ（Frame Packing）においては、Ｖｓｙｎｃ（垂直同期信号）は、Vactive(line)＋Vact space(line) ＋Vactive(line) ＋Vblank(line)＝７２０＋３０＋７２０＋３０＝１５００、となる。
【００５２】
このように、２Ｄと３Ｄ（Frame Packing）においては、画像を描写する際の垂直方向のタイミングを規定するＶｓｙｎｃ（垂直同期信号）が異なっている。これは、上述したようにFrame Packing方式は、２つの画像データ（左目用画像データと右目用画像データ）を２Ｄと同じ解像度で上下に並べて伝送するからである。このようなタイミングの違いにより映像フォーマットが２Ｄであるか、Frame Packing方式の３Ｄであるかを判定することができる。
【００５３】
次に、Side by Side方式、Top and Bottom方式における判定について説明する。Side by Side方式とは図７に示すように、左目用画像と右目用画像をそれぞれ水平方向に１／２に間引くことにより横方向の解像度を半分にし、左目用画像と右目用画像とを横に並べて伝送する方式である。
【００５４】
Top and Bottom方式とは図８に示すように、左目用画像と右目用画像とをそれぞれ垂直方向に１／２に間引くことにより縦方向の解像度を半分にし、左目用画像と右目用画像を縦に並べて伝送する方式である。Side by Side方式、Top and Bottom方式は共に解像度が落とす代わりに、２Ｄと同じ伝送レートで３Ｄの映像信号を伝送することができる。
【００５５】
２Ｄと３ＤのSide by Side方式、３ＤのTop and Bottom方式のＶＩＣが同一である場合には、タイミングを規定するＶｓｙｎｃ（垂直同期信号）が同一となるため、上述したFrame Packing方式で用いた判定手法では映像フォーマットが２Ｄか３Ｄかの判定を行うことができない。そこで、さらにVendor Specific InfoFrameを用いることによって、３Ｄ方式がSide by Side方式またはTop and Bottom方式であっても２Ｄか３Ｄかの判定を行うことができる。
【００５６】
図９は、Vendor Specific InfoFrameパケットの構造例を示す図である。図９ＡはVendor Specific InfoFrameパケットヘッダーを示し、図９ＢはVendor Specific InfoFrameパケットコンテンツを示している。また、図９ＣはVendor Specific InfoFrameパケットの中の「HDMI Video Format」の詳細を示している。さらに、図９Ｄは、Vendor Specific InfoFrameパケットの中の「3D Structure」の詳細を示している。
【００５７】
映像フォーマットが２Ｄか３Ｄかの判定は、Vendor Specific InfoFrameパケットの中の第４バイトの「HDMI Video Format」を参照することにより行うことができる。具体的には、「HDMI Video Format」を示す第７ビットから第５ビットの値を参照することにより３Ｄフォーマットか否かを判定することができる。
【００５８】
図９Ｃの「HDMI Video Format」の詳細に示すように、「０１０」は映像信号が３Ｄフォーマットであることを示すものであるため、「HDMI Video Format」が「０１０」である場合には映像信号は３Ｄであると判定することができる。図９Ｃの「HDMI Video Format」の詳細からわかるように、「０１０」以外の「０００」、「００１」、「０１１〜１１１」は３Ｄフォーマットであることを示すものではない。したがって、「HDMI Video Format」を示す第７ビットから第５ビットの値が「０００」、「００１」、「０１１〜１１１」のいずれかである場合には、映像信号は３Ｄではないと判定する。
【００５９】
さらに、Vendor Specific InfoFrameパケットの第５バイトの「3D Structure」を参照することにより、３Ｄの方式の種別を判定することができる。図９Ｄに示す例では、値「００００」にFrame Packingが対応付けられている。「０１１０」にはTop and Bottomが対応付けられている。さらに、「１０００」にはSide by Sideが対応付けられている。
【００６０】
したがって、Vendor Specific InfoFrameパケットの「3D Structure」の値が「０１１０」の場合にはTop and Bottom方式であると判定することができる。また、「3D Structure」の値が「１０００」の場合にはSide by Side方式であると判定することができる。なお、図９Ｄに示す3D Structureの詳細においては、「０００１〜０１０１」および「１００１〜１１１１」には３Ｄ方式は対応付けられていないが、新たな３Ｄ方式がそれらの値に対応付けられた場合は、同様にしてその新たな３Ｄ方式も判定することができる。
【００６１】
また、その他の判定方法として、Vendor Specific InfoFrameパケットが伝送されてきたか否かを確認することにより２Ｄか３Ｄかを判定する方法もある。この方法では、Vendor Specific InfoFrameパケットがソースから伝送されてきておらず。レジスタ２０２ａにVendor Specific InfoFrameパケットが格納されていない場合には２Ｄであると判定する。
【００６２】
また、映像信号が２Ｄであるにも関わらず、Vendor Specific InfoFrameパケットが伝送され、レジスタ２０２ａに格納されている場合も考えられる。その場合は、Vendor Specific InfoFrameパケットのHDMI Video Formatの値が「０００」である場合に映像信号が２Ｄであると判定することも可能である。図９Ｃに示すように「０００」には「Vendor Specific InfoFrameパケット内にはadditional HDMI video formatがない」旨が対応付けられている。
【００６３】
このようにして、マイコン２０６はソースとしての送信装置１００から送信された映像信号のフォーマットが２Ｄであるか３Ｄであるかを判定する。そして、２Ｄであると判定した場合には、ビデオプロセッサ２０３を経由する第１バスを選択するようにセレクタ２０５に対して所定の制御信号を送信する。そして、セレクタ２０５は第１バスを経由した映像信号をＨＤＭＩ送信部２０７に出力する。
【００６４】
一方、マイコン２０６は映像信号のフォーマットが３Ｄであると判定した場合には、ビデオプロセッサ２０３を経由せずにＨＤＭＩ受信部２０２とＨＤＭＩ送信部２０７を直接つなぐ経路である第２バスを選択するようにセレクタ２０５に対して所定の制御信号を送信する。そして、セレクタ２０５は第２バスを経由した映像信号をＨＤＭＩ送信部２０７に出力する。
【００６５】
そして、ＨＤＭＩ送信部２０７は、セレクタ２０５から出力された映像信号およびＨＤＭＩ受信部２０２から出力された音声信号を再びＨＤＭＩ信号に変換し、ＨＤＭＩ出力端子２０８に出力する。そして、ＨＤＭＩ信号はＨＤＭＩ出力端子２０８から第２ＨＤＭＩケーブル５０２を介して受信装置３００に送信される。そして、最終的に受信装置３００で映像が出力される。また、音声は受信装置３００または／およびスピーカ４００から出力される。
【００６６】
このようにして、送信装置１００から送信されたＨＤＭＩ信号に含まれる映像信号が３Ｄである場合には、３Ｄに対応していないビデオプロセッサ２０３を経由させない。これにより、ビデオプロセッサ２０３が３Ｄに対応していなくても、ＨＤＭＩ受信部２０２およびＨＤＭＩ送信部２０７が３Ｄに対応していれば送受信装置２００としては３Ｄに対応することが可能となる。
【００６７】
よって、送受信装置２００のＥＤＩＤに３Ｄフォーマットを記述することができる。これにより、送信装置１００は、ＨＤＭＩ信号送信の際に送受信装置２００のＥＤＩＤを参照して送受信装置２００は３Ｄフォーマットに対応していると判断し、３Ｄ映像信号を含むＨＤＭＩ信号を送受信装置２００に送信することができる。
【００６８】
［１−３.ＨＤＣＰ認証処理］
以下、本実施の形態におけるＨＤＣＰ（High-bandwidth Digital Content Protection system）認証について説明する。上述したように、第１バスと第２バスを切り替えることは映像信号の切断が伴うため、不用意にバスの切り替えを行うとＨＤＣＰ認証の失敗が引き起こされるおそれがある。ＨＤＣＰ認証が失敗すると画途切れなどが発生し、結果として映像の品質の低下を招くこととなる。そこで、本実施の形態では以下に説明する手順でＨＤＣＰ認証を行うことにより映像の品質低下を防ぐことができる。
【００６９】
ＨＤＣＰ認証は、コンテンツを送信する送信側がコンテンツを受信する受信側を認証し、コンテンツを暗号化して送信することにより保護する規格である。ＨＤＣＰでは、３段階の認証が行われ、それぞれ、第１認証、第２認証および第３認証と称されている。認証の結果、受信側が不正な機器でないと判断された場合、送信側が暗号化したコンテンツを受信側で復号化することが可能となる。ＨＤＣＰ認証は、ＤＤＣを介した通信を用いて行われる。
【００７０】
まず、図１０を参照して、本実施の形態におけるＨＤＣＰ認証の概要について説明する。なお、図１０のブロック図は、ＨＤＭＩ信号およびそれに含まれる映像信号の流れ、さらにＨＤＣＰ認証についての部分のみを抽出して記載されている。
【００７１】
図１０Ａに示すように、まず、リピータである送受信装置２００のＨＤＭＩ受信部２０２で送信装置１００から送信された映像信号を含むＨＤＭＩ信号を受信する。ＨＤＭＩ受信部２０２がＨＤＭＩ信号を受信すると、マイコン２０６により映像信号の映像フォーマットの判定が行われる。そして、その判定結果に基づき、図１０Ｂに示すようにバスの切り替えが行われる。
【００７２】
次に、図１０Ｃに示すように、ＨＤＭＩ送信部２０７により受信装置３００にＨＤＭＩ信号が送信される。そして、図１０Ｄに示すように、受信装置３００へのＨＤＭＩ信号送信開始後にＨＤＣＰ認証が行われる。すなわち、送信装置１００からＨＤＣＰ認証を要求されても、受信装置３００へのＨＤＭＩ信号の送信を開始するまでＨＤＣＰ認証は行われない。
【００７３】
このような順序に従わず、例えば、映像信号の映像フォーマットの判定およびバスの切り替えをＨＤＣＰ認証後に行うと、ＨＤＣＰ認証後に映像信号の切断が発生し、ＨＤＣＰ認証の失敗が起こるおそれがある。これによって、画途切れ、ノイズなどが発生して映像の品質の低下してしまう。
【００７４】
次に、図１１のシーケンス図を参照して、本実施の形態におけるＨＤＣＰ認証の詳細について説明する。図１１は、映像フォーマットが２Ｄであり、セレクタ２０５によりビデオプロセッサ２０３を経由する第１バスが選択された場合におけるシーケンス図である。シーケンス図中、太線はＨＤＭＩ信号またはそれに含まれる映像信号の流れを示すものであり、細線はＨＤＣＰ認証の処理を示すものである。
【００７５】
まず、送信装置１００から送受信装置２００のＨＤＭＩ受信部２０２に対して、２Ｄフォーマットの映像信号を含むＨＤＭＩ信号が送信される。ＨＤＭＩ受信部２０２がＨＤＭＩ信号を受信すると、マイコン２０６により映像フォーマットの判定が行われる。図１１においては映像フォーマットは２Ｄであるため、セレクタ２０５によりビデオプロセッサ２０３を経由する第１バスが選択される。また、送信装置１００はＨＤＣＰ認証の第１認証を要求する。ただし、上述したように、認証は受信装置３００へのＨＤＭＩ信号送信開始後に行われるため、この時点では第１認証は行われない。
【００７６】
次に、映像信号はビデオプロセッサ２０３でＧＵＩ合成処理などを施されてＨＤＭＩ送信部２０７に出力される。そして、ビデオプロセッサ２０３により処理が施された映像信号は音声信号と共にＨＤＭＩ送信部２０７により再びＨＤＭＩ信号に変換されて、受信装置３００に送信される。
【００７７】
そして、ＨＤＭＩ送信部２０７による受信装置３００へのＨＤＭＩ信号の送信開始後に第１認証が行われる。第１認証においてはまず、ＨＤＭＩ送信部２０７は、接続されている受信装置３００のＨＤＭＩ受信部３０２のレジスタから機器間認証に必要な認証情報を取得する。認証情報としては、ＨＤＣＰ規格により定められたＫＳＶ（Key Selection Vector）がある。そして、ＨＤＭＩ送信部２０７は、取得した認証情報が正当である場合には、受信装置３００との認証は成功したと判断する。第１認証が成功した場合、次に、送受信装置２００はFIFO READY BITを立ててシンクである受信装置３００との第１認証が成功したことをソースである送信装置１００に示す。一方、ＨＤＭＩ送信部２０７は、認証情報が不正である場合、または、認証情報を読み出すことができない場合には、受信装置３００との認証が失敗したと判断する。
【００７８】
次に、第２認証が行われる。第２認証は、ソースである送信装置１００にリピータが接続されている場合に必要とされる認証である。よって、第２認証に先立って送信装置１００は、自身に接続されている機器がリピータであるか否かの判断を行う。接続されている機器がリピータであるか否かの判断は、例えば、接続されている機器からその機器がリピータであるか、シンクであるかを示す機器情報である「REPEATER」と呼ばれるビット列を読み出すことにより行われる。本実施の形態においてはソースである送信装置１００にはリピータである送受信装置２００が接続されているため、第２認証が行われる。
【００７９】
第２認証では、まず、送受信装置２００はハッシュ関数を用いてリピータとしての認証情報であるＫＳＶ Ｌｉｓｔ、Ｂｓｔａｔｕｓと称されるビット列および秘密値からハッシュ値ｈを生成する。そして、送受信装置２００は生成したハッシュ値ｈとＫＳＶＬｉｓｔを送信装置１００のＨＤＭＩ送信部１０２に送信する。次に、ＨＤＭＩ送信部１０２は、受信したハッシュ値ｈと、ＫＳＶ Ｌｉｓｔのハッシュ値ｈ’を計算する。そして算出したハッシュ値ｈ’と受信したハッシュ値ｈとが一致していれば第２認証が成功したと判断する、一方、演算結果が一致しない場合は第２認証が失敗したと判断する。
【００８０】
次に第３認証が行われる。第３認証は映像データに基づく認証である。まず、送信装置１００のＨＤＭＩ送信部１０２と送受信装置２００のＨＤＭＩ受信部２０２はそれぞれ、認証用の鍵を算出する。ＨＤＭＩ送信部１０２およびＨＤＭＩ受信部２０２は、「HDCP BlkCipher」におけるブロック暗号を用いてその鍵を算出する。算出された鍵はＨＤＭＩ受信部２０２からＨＤＭＩ送信部１０２へ送られる。
【００８１】
そして、ＨＤＭＩ送信部１０２はＨＤＭＩ受信部２０２から受信した鍵と自身が算出した鍵を比較し、一致するか否かを判断すると共に、ＨＤＭＩ受信部２０２がＨＤＭＩ信号を復号できるデバイスであるかどうかを判断する。この判断は約２秒ごとに行われる。そして、一致する場合には第３認証は成功したと判断され、一致しない場合には第３認証は失敗したと判断される。この第３認証は送受信装置２００のＨＤＭＩ送信部２０７と受信装置３００のＨＤＭＩ受信部３０２間においても行われる。以上のようにしてＨＤＣＰ認証が行われる。
【００８２】
次に、図１２のシーケンス図を参照して、映像フォーマットが３Ｄであり、セレクタ２０５によりビデオプロセッサ２０３を経由しない第２バスが選択された場合について説明する。シーケンス図中、太線は映像信号の流れを示すものであり、細線はＨＤＣＰ認証の処理を示すものである。
【００８３】
まず、送信装置１００から送受信装置２００のＨＤＭＩ受信部２０２に対して、３Ｄフォーマットの映像信号を含むＨＤＭＩ信号が送信される。ＨＤＭＩ受信部２０２がそのＨＤＭＩ信号を受信すると、マイコン２０６により映像フォーマットの判定が行われる。図１２においては映像フォーマットは３Ｄであるため、セレクタ２０５によりビデオプロセッサ２０３を経由しない第２バスが選択される。また、送信装置１００はＨＤＣＰ認証の第１認証を要求する。ただし、上述したように認証は受信装置３００へのＨＤＭＩ信号送信開始後に行うため、この時点では第１認証は行われない。次に、映像信号はビデオプロセッサ２０３を経由せずにＨＤＭＩ送信部２０７に出力される。そして、映像信号は音声信号と共にＨＤＭＩ送信部２０７により再びＨＤＭＩ信号に変換されて、受信装置３００に送信される。
【００８４】
そして、ＨＤＭＩ信号の送信開始後に第１認証が行われる。第１認証は映像フォーマットが２Ｄの場合と同様である。第１認証が成功した場合、次に、送受信装置２００はFIFO READY BITを立ててシンクである受信装置３００との第１認証が成功したことをソースである送信装置１００に示す。次に、第２認証が行われる。さらに第３認証が行われる。第２認証および第３認証も映像フォーマットが２Ｄの場合と同様である。以上のようにしてＨＤＣＰ認証が行われる。
【００８５】
このように、送信装置１００からＨＤＣＰ認証を要求されても、バスの切り替えが完了し、映像信号を含むＨＤＭＩ信号の受信装置３００への送信が開始されるまではＨＤＣＰ認証は行わない。そして、バスの切り替えおよびＨＤＭＩ信号送信開始後にＨＤＣＰ認証を行うようにする。これにより、ＨＤＣＰ認証後に映像信号の切断が発生してＨＤＣＰ認証の失敗が起こることによる、画途切れ、ノイズなどの映像の品質低下を防止することができる。
【００８６】
なお、シンクである受信装置３００へのＨＤＭＩ信号の送信が行われている最中に、映像信号をビデオプロセッサ２０３を介する第１バスと介しない第２バスのどちらを経由させるかをユーザが選択できるようにしてもよい。その選択の入力は、送受信装置２００に備え付けられたボタンなどの入力手段（図示せず。）、または送受信装置２００付属のリモートコントローラ（図示せず。）などによって行われる。
【００８７】
その場合、ＨＤＭＩ信号の送受信が安定した状態で行われている最中にバスの切り替えが行われることとなる。そこで、以下に説明するようにバスの切り替えおよびＨＤＣＰ認証を行うことにより、画途切れ時間を最小限にして映像の品質低下を抑えることができる。
【００８８】
まず、図１３を参照して、安定状態におけるバス切り替えおよびＨＤＣＰ認証の流れの概要について説明する。受信装置３００へ安定した状態でＨＤＭＩ信号が送信されている場合において、ユーザにより送受信装置２００にバスの切り替え指示が入力されたら、図１３Ａに示すようにＨＤＭＩ送信部２０７から受信装置３００へのＨＤＭＩ信号の送信を停止する。次に、図１３Ｂに示すようにバスを第２バスから第１バスへ切替える。
【００８９】
次に図１３Ｃに示すように、送受信装置２００のＨＤＭＩ送信部２０７から受信装置３００へのＨＤＭＩ信号の送信を再開する。そして、図１３Ｄに示すように受信装置３００と送受信装置２００間でのみＨＤＣＰ認証を行う。
【００９０】
次に、図１４のシーケンス図を参照して、安定状態におけるバス切り替えおよびＨＤＣＰ認証の流れの詳細について説明する。まず、図１４Ａに示すように、ＨＤＣＰの第１乃至第３認証が正常に行われ、ＨＤＭＩ信号の送受信が安定した状態で行われている状態を前提とする。そして、ユーザにより送受信装置２００にバスの切り替え指示が入力されると、図１４Ａに示すように、バスの切り替えを行う前に送受信装置２００のＨＤＭＩ送信部２０７から受信装置３００へのＨＤＭＩ信号の送信を停止する。
【００９１】
次に、図１４Ｂに示すように第２バスから第１バスへとバスの切り替えを行う。なお、図１４Ｂに示す第２バスから第１バスの切り替えは一例であり、第１バスから第２バスへ切替えることも当然可能である。そして、送受信装置２００のＨＤＭＩ送信部２０７から受信装置３００へのＨＤＭＩ信号の送信を再開する。
【００９２】
バスの切り替えを行う前に受信装置３００へのＨＤＭＩ信号の送信を停止したため、次に、送受信装置２００と受信装置３００間におけるＨＤＣＰ認証のみを再び行う。まず、送受信装置２００と受信装置３００間で第１認証が行われる。この第１認証は受信装置３００へのＨＤＭＩ信号送信再開後に行われる。そして、第１認証成功後、第３認証が行われる。なお、ソースである送信装置１００とリピータである送受信装置２００間における第１認証および第２認証は行われない。したがって、送信装置１００には影響を与えないため、ＥＤＩＤの再読込やＨＤＣＰ認証の全工程をやり直す必要がない。
【００９３】
このような手順でＨＤＭＩ信号の送信およびＨＤＣＰ再認証を行いない場合、例えば、バスが切り替えられたとき、送受信装置２００と受信装置３００間での認証を行うのではなく、送信装置１００へのホットプラグのトグルを行う場合を考える。なお、トグルとはホットプラグ信号をLowにして所定の期間待機した後、再度、Highにする制御である。このようなホットプラグのトグルが行われると、送信装置１００はトグルに反応して、ＥＤＩＤの再読込、ＨＤＣＰ認証処理の全工程を再度行う。これにより、バスの切り替えが行われてから、受信装置３００が映像を出力するまでの時間が長くなり、その結果、画途切れが長くなり、映像品質の低下を招くことになる。したがって、本実施の形態のように送信装置１００へのホットプラグのトグルは行わず、送受信装置２００と受信装置３００間でのみ再認証を行うことによって、そのような映像の品質低下を抑制することができる。
【００９４】
上述した本実施の形態は、映像フォーマットが２Ｄである場合には、図１５Ａに示すように、２Ｄに対応するビデオプロセッサ２０３によりＧＵＩ合成処理が行われた映像信号を含むＨＤＭＩ信号を送信する。図１５においては、点線が各ブロック間の配線を示し、実線が映像信号またはそれを含むＴＭＤＳ信号を示し、二重線がＧＵＩ画像信号またはＧＵＩ画像信号を変換したＨＤＭＩ信号を示し、さらに太線がＧＵＩ合成処理が行われた映像信号またはそれを含むＨＤＭＩ信号を示す。なお、図１５においては、映像信号の流れの理解を容易にするため、音声信号に関する部分は省略している。
【００９５】
一方、映像フォーマットが３Ｄである場合には３Ｄ非対応であるビデオプロセッサ２０３を経由せずにＨＤＭＩ信号を送信する。ビデオプロセッサ２０３を経由しないため、３ＤにおいてはＧＵＩの表示は行われない。しかし、映像フォーマットが３Ｄである場合であってもＧＵＩの表示が必要な場合も考えられる。その場合は、図１５Ｂに示すように、ＨＤＭＩ受信部２０２からの映像信号の出力は行わず、ＧＵＩ画像信号をＨＤＭＩ送信部２０７によってＨＤＭＩ信号に変換して受信装置３００に送信する。
【００９６】
＜２．変形例＞
以上、この発明の一実施の形態について具体的に説明したが、この発明は、上述の実施形態に限定されるものではなく、この発明の技術的思想に基づく各種の変形が可能である。図１に示すように、実施の形態においてはセレクタ２０５をビデオプロセッサ２０３の後段に設けたが、セレクタ２０５はビデオプロセッサ２０３の前段に設けてもよい。セレクタ２０５をビデオプロセッサ２０３の前段に設けた場合、映像信号のフォーマットにビデオプロセッサ２０３が対応している場合には映像信号をビデオプロセッサ２０３に出力し、ビデオプロセッサ２０３が非対応の場合には映像信号をビデオプロセッサ２０３に出力しないように選択を行う。
【００９７】
また、実施の形態では第１バスと第２バスの２つの信号経路を挙げて説明を行ったが、信号経路は２つに限られるものではない。映像フォーマットに対応しない信号処理部が複数ある場合には、その信号処理部の数に応じて信号経路を設けるようにするとよい。
【符号の説明】
【００９８】
１００・・・送信装置
２００・・・送受信装置
２０２・・・ＨＤＭＩ受信部
２０３・・・ビデオプロセッサ
２０５・・・セレクタ
２０７・・・ＨＤＭＩ送信部
２０６・・・マイコン
３００・・・受信装置
【図１】
2012039476.tif 000003
【図２】
2012039476.tif 000004
【図３】
2012039476.tif 000005
【図４】
2012039476.tif 000006
【図５】
2012039476.tif 000007
【図６】
2012039476.tif 000008
【図７】
2012039476.tif 000009
【図８】
2012039476.tif 000010
【図９】
2012039476.tif 000011
【図１０】
2012039476.tif 000012
【図１１】
2012039476.tif 000013
【図１２】
2012039476.tif 000014
【図１３】
2012039476.tif 000015
【図１４】
2012039476.tif 000016
【図１５】
2012039476.tif 000017